(57)【特許請求の範囲】
【請求項１】
本体がキッチンの天板開口に上方向から挿入設置されるもので、
前記本体は、上面に鍋などの被加熱調理具が載置されるトッププレートと、前記トッププレート下方の略箱状の外郭と、が前記本体の外面を成し、加熱コイルユニットと、前記加熱コイルユニットに高周波電力を供給する回路ユニットと、が前記本体内部に配設されて成り、
前記本体の側面に装着された固定金具で前記本体と前記キッチンの天板端面との間を押圧して前記本体を固定する誘導加熱調理器の製造方法において、
前記固定金具は前記外郭の側面に横方向に摺動されて装着され、前記固定金具に設けた嵌合部が前記外郭に設けた嵌合孔に貫通後横方向に摺動されて前記外郭と嵌合し、前記嵌合部が前記外郭と嵌合する摺動幅の終端付近の位置で、前記嵌合部とは別に設けた係合部が前記外郭と係合し、前記嵌合部と前記係合部とで前記外郭に装着保持されて成るとともに、
前記固定金具に形成された前記本体の前記外郭と接する面の上部と下部の前記嵌合部の大きさは、下部を上部より大とされて成る、誘導加熱調理器の製造方法。
【請求項２】
前記固定金具は、縦方向の断面形状が略レ字状とされ弾性材料で成る、請求項１に記載の誘導加熱調理器の製造方法。
【請求項３】
前記固定金具の前記本体の前記外郭との取り付け面には前記本体の前記外郭外面と重なる平面部が設けられ、前記固定金具が前記本体を前記キッチンに固定した際には、前記平面部を圧する方向に本体保持力が作用して成る、請求項１または２に記載の誘導加熱調理器の製造方法。
【請求項４】
前記キッチンの天面上に露出するトッププレート保護枠を前記本体の前記外郭と電気的に絶縁した構成を有するものにおいて、
前記固定金具を前記本体の前記外郭の側面に装着時には外面になり、前記本体を前記キッチンに組み込み時に前記キッチンと接触する部分に前記固定金具の外縁から露出し外面を覆う電気絶縁性のカバーが設けられた、請求項１〜３のいずれか１項に記載の誘導加熱調理器の製造方法。
【発明の詳細な説明】
【技術分野】
【０００１】
本発明は、一般家庭の台所等に組み込んで使用する、誘導加熱調理器の製造方法に関するものである。
【背景技術】
【０００２】
調理器本体をキッチンに組み込む構成の製造方法がキッチン開口に本体を上から挿入設置するものにおいて、調理器本体上面に排気口などの開口がなく、かつ、グリルなど前面の露出面がない本体構成とした組み込み式誘導加熱調理器のキッチンへの固定構成に関するするものである。
【０００３】
従来この種の誘導加熱調理器の製造方法は図１３に示すように、調理器本体１をキッチン天板２に開けた角穴部に上方から挿入配置し、本体１の側部外郭に設けたフランジ状の固定金具３に、下方から上方に向けて締めこむ固定ネジ４を配し、前記固定ネジ４の先端がキッチン天板２裏面に押し当たるように締め込むことで、調理器本体１をキッチンに固定する（特許文献１参照）。
【先行技術文献】
【特許文献】
【０００４】
【特許文献１】特開平０５−０４１２７３号公報
【発明の概要】
【発明が解決しようとする課題】
【０００５】
しかしながら上記従来の構成の製造方法は、固定金具３に固定ネジ４を下方から上方に向けて締めこむ際、ドライバなどの工具が必要である。また、固定金具３の一部を構成する固定ネジ４の締め込みは、調理器本体１をキッチン天板２に挿入配置した後、キッチン内部裏面側から締め付け作業を行う必要があるので、固定金具３を締め込む設置工事はやりにくいものであった。
【０００６】
本発明は前記従来技術における課題を解決するもので、取り付け用の工具を必要とせず固定金具を本体に簡単に取り付け出来るとともに、本体をキッチンに組み込むときに生じる応力で容易に外れることがない固定金具の取り付け構成の製造方法を提供するものである。
【課題を解決するための手段】
【０００７】
前記従来の課題を解決するために本発明の誘導加熱調理器の製造方法は、
本体がキッチンの天板開口に上方向から挿入設置されるもので、前記本体は、上面に鍋などの被加熱調理具が載置されるトッププレートと、前記トッププレート下方の略箱状の外郭とで前記本体の外面を成し、加熱コイルユニットと、前記加熱コイルユニットに高周波電力を供給する回路ユニットと、が前記本体内部に配設されて成り、前記本体の側面に装着された固定金具で前記本体と前記キッチンの天板端面との間を押圧して前記本体を固定する誘導加熱調理器の製造方法において、前記固定金具は前記外郭の側面に横方向に摺動されて装着され、固定金具に設けた嵌合部が前記外郭に設けた嵌合孔に貫通後横方向に摺動されて前記外郭と嵌合し、前記嵌合部が前記外郭と嵌合する摺動幅の終端付近の位置で、嵌合部とは別に設けた係合部が外郭と係合し、前記嵌合部と前記係合部とで前記外郭に装着保持されて成るとともに、前記固定金具に形成された前記本体の前記外郭と接する面の上部と下部の前記嵌合部の大きさは、下部を上部より大とされて成る。
【発明の効果】
【０００８】
本発明の誘導加熱調理器の製造方法は、取り付け用の工具を必要とせず固定金具を本体に簡単に取り付け出来るとともに、本体をキッチンに組み込むときに生じる応力で容易に外れることがない固定金具の取り付け構成を提供する。また、本体をキッチンに取り付け時、固定金具表面とキッチンとの摩擦力で下側が本体外側に回る横軸方向の回転モーメントが生じるが、嵌合部の大きさは下側を大としているので回転モーメントに対する保持力を大とすることができる。
【図面の簡単な説明】
【０００９】
【図１】本発明の実施の形態１における誘導加熱調理器の製造法の外観斜視図
【図２】同固定金具取り付け部正面斜視図
【図３】同部分断面図
【図４】同固定金具取り付け部背面斜視図
【図５】同本体外郭の要部斜視図
【図６】同固定金具正面斜視図
【図７】同固定金具背面斜視図
【図８】同固定金具背面図
【図９】同固定金具断面図
【図１０】本発明の実施の形態２における誘導加熱調理器の製造方法の部分断面図
【図１１】同固定金具正面斜視図
【図１２】同固定金具背面斜視図
【図１３】従来例における誘導加熱調理器の製造方法の断面図
【発明を実施するための形態】
【００１０】
第１の発明は、本体がキッチンの天板開口に上方向から挿入設置されるもので、前記本体は、上面に鍋などの被加熱調理具が載置されるトッププレートと、前記トッププレート下方の略箱状の外郭とで前記本体の外面を成し、加熱コイルユニットと、前記加熱コイルユニットに高周波電力を供給する回路ユニットと、が前記本体内部に配設されて成り、前記本体の側面に装着された固定金具で前記本体と前記キッチンの天板端面との間を押圧して前記本体を固定する誘導加熱調理器の製造方法において、前記固定金具は前記外郭の側面に横方向に摺動されて装着され、固定金具に設けた嵌合部が前記外郭に設けた嵌合孔に
貫通後横方向に摺動されて前記外郭と嵌合し、前記嵌合部が前記外郭と嵌合する摺動幅の終端付近の位置で、前記嵌合部とは別に設けた係合部が前記外郭と係合し、前記嵌合部と前記係合部とで前記外郭に装着保持されて成るとともに、前記固定金具に形成された前記本体の前記外郭と接する面の上部と下部の前記嵌合部の大きさは、下部を上部より大とされて成る。これにより取り付け用の工具を必要とせず固定金具を本体に簡単に取り付け出来るとともに、本体をキッチンに組み込むときに生じる応力で容易に外れることがない固定金具の取り付け構成の製造方法を提供するものである。
【００１１】
また、前記固定金具に形成された前記本体の前記外郭と接する面の上部と下部の前記嵌合部の大きさは、下部を上部より大とされて成る。これにより、本体をキッチンに取り付け時、固定金具表面とキッチンとの摩擦力で下側が本体外側に回る横軸方向の回転モーメントが生じるが、嵌合部の大きさは下側を大としているので回転モーメントに対する保持力を大とすることができる。
【００１２】
第２の発明は特に第１の発明において、前記固定金具は、縦方向の断面形状が略レ字状とされ弾性材料で成る。これにより、本体をキッチンに装着時、本体を上から下方向に挿入セットするだけで固定金具の弾性力で本体が固定されるので、固定金具の本体への取り付けに加え、本体をキッチンに装着する際も取り付け用の工具を不要にできる。
【００１３】
第３の発明は特に第１または第２の発明において、前記固定金具の前記本体の前記外郭との取り付け面には前記本体の前記外郭外面と重なる平面部が設けられ、前記固定金具が前記本体を前記キッチンに固定した際には、前記平面部を圧する方向に本体保持力が作用して成る。これにより、固定金具嵌合部の平面部と本体外郭とを離す方向に力が作用せず、また、係合部と本体係合孔端面とを圧する方向にも力が作用しないので、本体をキッチン固定した後は固定金具が外れない。
【００１４】
第４の発明は特に第１から３のいずれか１つの発明において、前記キッチンの天面上に露出するトッププレート保護枠を前記本体の前記外郭と電気的に絶縁した構成を有するもで、前記固定金具を前記本体の前記外郭の側面に装着時には外面になり、前記本体を前記キッチンに組み込み時に前記キッチンと接触する部分に前記固定金具の外縁から露出し外面を覆う電気絶縁性のカバーが設けられた。これにより、本体の接地が不完全となった場合にも、本体外郭とキッチンとの電気的短絡を回避する。
【００１５】
（実施の形態１）
図１は本発明の実施の形態１における誘導加熱調理器の製造方法の外観斜視図、図２は固定金具取り付け部の正面斜視図、図３は固定金具取り付け部の断面図、図４は固定金具取り付け部の背面斜視図、第５図は本体外郭の要部斜視図、図６は固定金具の正面斜視図、図７は固定金具の背面斜視図、図８は固定金具の背面図、図９は固定金具の断面図、図１０は本発明の実施の形態２における固定金具の部分断面図、図１１は同正面斜視図、図１２は同固定金具の背面斜視図を示す。
【００１６】
図１から図９において、誘導調理器の本体２１はキッチン等の天板２２に設けた開口穴に上方向から挿入設置して使用するもので、本体２１の上面は結晶化ガラスを素材としたトッププレート２３の周囲を、ステンレス鋼を材料としたトッププレート保護枠２４で囲んだトッププレートユニット２５で覆っている。トッププレート２３には加熱部２６ａ、２６ｂ、２６Ｃ、２６ｄを印刷している。本体の外郭２７内部には加熱部２６ａ、２６ｂ、２６Ｃ、２６ｄに対応して加熱コイルユニットおよび、加熱コイルユニットに高周波電力を供給する回路ユニット、回路ユニットに冷却風を送風する冷却ファンなどを備えている。
【００１７】
本体２１の側面２８ａ〜２８ｄ（２８ｃ、３３ｄは図示せず）には固定金具２９を装着し、固定金具２９が本体２１の側面２８ａ〜２８ｄとキッチンの天板２２端面間で圧縮されることにより、本体２１の側面２８ａ〜２８ｄとキッチンの天板２２端面間とを押圧し、本体２１をキッチンの天板２２に対して固定している。するものにおいて、固定金具は外郭の側面に横方向に摺動して装着し、固定金具に設けた嵌合部を前記外郭に設けた嵌合孔に貫通後横方向に摺動して外郭と嵌合し、嵌合部が前記外郭と嵌合する摺動幅の終端付近の位置で、嵌合部とは別に設けた係合部が外郭と係合し、嵌合部と前記係合部とで前記外郭に装着保持されて成る。固定金具２９は外郭２７の側面２８ａ〜２８ｄに横方向に摺動して装着し取り付けられている。固定金具２９を本体の外郭２７の側面２８ａ〜２８ｄに取り付ける構成は以下である。
【００１８】
代表説明として、外郭２７の側面２８ａに装着した固定金具２９について取り付け構成を説明する。
【００１９】
固定金具２９の後面３０には外郭２７を構成するスチール製の板金の厚さよりも若干大とした段差Ａを設けて第１嵌合平面３１と第１傾斜面３２とから成る第１嵌合部３３と、同様に段差Ａを設けて第２嵌合平面３４と第２傾斜面３５とから成る第２嵌合部３６とが設けられている。
【００２０】
側面２８ａには、柄杓状の第１嵌合孔３７と第２嵌合孔３８とが設けられ、第１嵌合孔３７と第２嵌合孔３８とが形状変形した側面２８ａの平面部分は第１凸平面３９および第２凸平面４０とする。第１嵌合孔３７に固定金具２９の第１嵌合部３３を、第２嵌合孔３８に固定金具２９の第２嵌合部３６を位置合わせして第１嵌合部３３と第２嵌合部３６とをそれぞれ貫通し、段差Ａに側面２８ａの第１凸平面３９の厚さが重なるように、第１傾斜面３２および第２傾斜面３５の方向に向かって固定金具２９を横方向に摺動する。
【００２１】
固定金具２９には、第１傾斜面３２および第２傾斜面３５と反対方向に、後面３０を凸状に成型加工した第１係合部４１と第２係合部４２とがあり、第１嵌合部３３と第２嵌合部３６とが第１嵌合孔３７と第２嵌合孔３８に嵌合し摺動する摺動幅の終端付近の位置で、第１係合部４１は第１嵌合孔３７と、第２係合部４２は第２嵌合孔３８とそれぞれ係合し、左右方向の位置決めと保持が成され固定金具２９は人が軽く触れたり、物が軽く当たる程度では本体の外郭２７から外れない。
【００２２】
固定金具２９は、これら第１嵌合部３３と第２嵌合部３６および、第１係合部４１と第２係合部４２とで、第１嵌合孔３７と第２嵌合孔３８を介して本体２１の外郭２７に装着保持されて成る。
【００２３】
図４は、固定金具２９を側面２８ａに取り付けた状態を、側面２８ａの内面側から見た状態である。
【００２４】
外郭２７の側面２８ａ〜２８ｄに取り付けた他の固定金具２９についても同様である。なお本実施例では、固定金具２９の個数は、前側の側面２８ａと後側の側面２８ｃには各２個、右側の側面２８ｂと左側の側面２８ｄには各１個、合計６個を備えているが、本体２１とキッチンの天板２２とが固定されるならば固定金具２９の総個数はこれに限るものではない。
【００２５】
以上の構成の製造方法により、外郭２７の側面２８ａ〜２８ｄに固定金具２９を取り付ける際、例えばドライバなど取り付け用の工具を必要とせず、固定金具２９を外郭２７に簡単に取り付け出来る。
【００２６】
また、本体２１をキッチンの天板２２の開口に組み込む際、固定金具２９を先ず本体２１に取り付けた後、本体２１を天板２２の開口に入れて下方向に押し込むので、天板２２の開口の厚み端面と直接摺動する固定金具２９は上方向にズレようとする力が作用する。固定金具２９の第１嵌合部３３が外郭の側面２８ａ〜２８ｄの第１凸平面３９の内面に、また、固定金具２９の第２嵌合部３６が外郭の側面２８ａ〜２８ｄの第２凸平面４０の内面に、固定金具２９の後面３０との間の段差Ａで外郭の側面２８ａ〜２８ｄの板厚を挟み込んで取り付け、第２凸平面４０の下側の板厚端面が、固定金具２９の後面３０と第２嵌合部３６との段差Ａに当たるので、固定金具２９が上方向にズレようとする力に抗し固定金具２９は容易に外れることがない取り付け構成の製造方法となる。
【００２７】
さらに、固定金具２９は外郭２７の側面２８ａ〜２８ｄに対して横方向に摺動して取り付けるので、上下方向の取り付けスペースは固定金具２９の上下方向幅が収納できればよいので、側面２８ａ〜２８ｄに固定金具２９を固定のための例えばネジ止めするスペースなど追加スペースを必要とせず、側面２８ａ〜２８ｄの高さ方向寸法が小さくでき、本体の薄型化に寄与することができる。
【００２８】
また、外郭２７の側面２８ａ〜２８ｄと接する面となり、固定金具２９の下部に形成した第１嵌合平面３１を含む第１嵌合部３３と、上部に形成した第２嵌合平面３２を含む第２嵌合部３６の大きさを、下側の第１嵌合部３３を上側の第２嵌合部３６より大としている。
【００２９】
本体２１をキッチンの天板２２に組み込む際、固定金具２９の外側表面とキッチンの天板２２の開口の厚み端面との摩擦力で固定金具２９の下側が本体外側向きに回る横軸方向に対する回転モーメントが生じるが、第１嵌合部３３と第２嵌合部３６の大きさは下側の第１嵌合部３３を上側の第２嵌合部３６より大としているので、回転モーメント力を本体２１の側面２８ａ〜２８ｄの第１凸平面３９と、固定金具２９の第１嵌合平面３１との接触面で受ける。これにより、第１嵌合部３３と第２嵌合部３６の大きさが同じ場合よりも回転モーメント力に対する固定金具２９の保持耐力を大きくすることができる。
【００３０】
固定金具２９の縦方向の断面形状は、図９に示すように略レ字状としており、下側を屈曲部４３とし、上端４４までの途中が最も外方に凸となった拡大部４５となっている。また、固定金具２９材料は弾性材料で耐腐食性を考慮しばね用ステンレス鋼で成る。弾性力を得るためならばね用鋼であってもよい。また、弾性材料であれば金属材料には限らない。
【００３１】
これにより、本体２１をキッチンの天板２２に装着時、本体２１をキッチンの天板２２開口の上から下方向に挿入し、本体２１を押し込むだけで固定金具２９の弾性力で屈曲部４３が変形して本体２１の側面２８ａ〜２８ｄとキッチンの天板２２の開口の厚み端面との間に押圧力が作用して本体２１が固定される。このようにして固定金具２９を本体２１に取り付けることに加え、本体２１をキッチンの天板２２に装着する際も取り付け用の工具を不要にできる。
【００３２】
固定金具２９の縦方向の断面形状が、下側が先鋭形状の屈曲部４３で上端４４までの途中が最も外方に凸となった拡大部４５とした略レ字状とすれば、屈曲部４３から拡大部４５までの傾斜面が、本体２１をキッチンの天板２２開口の上から下方向に挿入して押し込む際の誘い面となり、上端４４は途中の拡大部４５よりも本体の側面２８ａ〜２８ｄに近い位置にあるのでキッチンの天板２２開口の厚み端面には容易には当たらず、本体２１をキッチンの天板２２に組み込む際に本体２１が斜めになった場合や、本体２１をキッチンの天板２２から取り外す際に上端４４がキッチンの天板２２の開口の厚み端面を傷つけることを防ぐ。
【００３３】
また、固定金具２９の外郭の側面２８ａ〜２８ｄとの取り付け面である後面３０には本体の外郭２７の側面２８ａ〜２８ｄと重なる平面部３０となっており、本体２１をキッチンの天板２２に組み込み装着した際には、固定金具２９の断面を略レ字状とした弾性変形押圧力により固定金具２９の後面３０を本体の外郭２７の側面２８ａ〜２８ｄ側に押圧し密着する方向に力が作用する。
【００３４】
これにより、固定金具２９の後面３０と本体の側面２８ａ〜２８ｄとを押し付ける方向に力が作用するので、本体２１をキッチンの天板２２の組み込み固定した後は、固定金具２９を外郭の側面２８ａ〜２８ｄから離す方向には力が作用しない。また、固定金具２９の第１係合部４１と第２係合部４２を、それぞれ外郭の側面２８ａ〜２８ｄの第１嵌合孔３７と第２嵌合孔３８とに圧する方向にも力が作用しないので、本体２１をキッチンの天板２２に固定した後は固定金具２９は容易には外れず、取り付けが簡単でかつ実使用上外れにくい取り付け構成とした固定金具２９を提供する。
【００３５】
（実施の形態２）
図１０から図１２において、誘導加熱調理器の本体２１、天板２２、トッププレート２３、トッププレート保護枠２４、トッププレートユニット２５、加熱部２６ａ〜２６ｄ、外郭２７、側面２８ａ〜２８ｄ、固定金具２９、後面３０、段差Ａ、第１嵌合平面３１、第１傾斜面３２、第１嵌合部３３、第２嵌合平面３４、第２傾斜面３５、第２嵌合部３６、第１嵌合孔３７、第２嵌合孔３８、第１凸平面３９、第２凸平面４０、第１係合部４１、第２係合部４２、屈曲部４３、上端４４、拡大部４５は、実施の形態１と同様である。
【００３６】
実施の形態１と異なるのは、キッチンの天板２２内に収納される外郭２７と、キッチンの天板２２の上面に露出し本体２１を使用するときに容易に触れるトッププレートユニット２５との間に電気的絶縁構成を施した点である。
【００３７】
具体的には、トッププレートユニット２５の一部を成しトッププレートユニット２５と外郭２７とを連結する構成部材である、トッププレート２３の裏面側を保持するアンダーフレーム４６と外郭２７との間に、電気絶縁性の樹脂シートを材料とした絶縁シート４７を挿入している。また、トッププレートユニット２５と外郭２７との固定ねじ４８の部分は、アンダーフレーム４６に取り付けた絶縁スペーサ４９を介して保持金具５０に固定ねじ４８を締め付けることで外郭２７とアンダーフレーム４６とが固定ねじ４８を介して電気的に接続することを防いでいる。絶縁スペーサは電気絶縁材料であるポリプロピレン樹脂としたが、他の樹脂材料や磁器材料であってもよい。以上のようにして外郭２７と、トッププレートユニット２５とを電気的に絶縁している。
【００３８】
このようにキッチン天面上に露出するトッププレート保護枠を本体外郭と電気的に絶縁した構成を有するものにおいて、固定金具２９は外郭２７に装着時に外面になり、本体２１をキッチンの天板２２に組み込み時にキッチンの天板２２と接触する部分である拡大部４５を含む範囲にカバー５１を、粘着層を介して取り付けている。カバー５１は電気絶縁性で可撓性のある樹脂フィルムで、例えばポリエチレンから成る。カバー５１は固定金具２９の外縁から露出する大きさで、拡大部４５を含む範囲は固定金具２９の外面を覆っている。
【００３９】
これにより、キッチンの天板２２がステンレスなど導電体であり、万一、本体２１の電源接続線に含まれる接地線が、設置工事不完全などにより接続不完全となった場合であっても、カバー５１により外郭２７とキッチンの天板２２との電気的短絡を回避する。本体２１に含まれる電気的雑音低減回路を構成するコンデンサの一端を金属製の外郭２７に電気的に接続する場合があり、コンデンサの容量によっては漏れる電流値が人体に安全な値
であっても、外郭２７の接地が不完全であると人体が本体外郭２６に触れると電気的衝撃を感じることがある。固定金具２９と触れるキッチンの天板２２が導電体であると、外郭２７の接地が不完全の場合、電気的雑音低減回路を構成するコンデンサを介して漏れる微電流がキッチンに漏れ、人体がキッチンの天板２２に触れた際、電気的衝撃を感じることを防ぐことができる。
【産業上の利用可能性】
【００４０】
以上のように、本発明にかかる誘導加熱調理器の製造方法は、本体をキッチンの天板開口に上方向から挿入設置するもので、本体の側面に装着した固定金具で本体とキッチン天板端面間を押圧して本体を固定するものにおいて、取り付け用の工具を必要とせず固定金具を本体に簡単に取り付け出来るとともに、本体をキッチンに組み込むときに生じる応力で容易に外れることがない固定金具の取り付け構成の製造方法を提供するので、キッチンに組み込む加熱調理器等の用途に適用できる。
【符号の説明】
【００４１】
２１  本体
２２  天板
２３  トッププレート
２４  トッププレート保護枠
２７  外郭
２８ａ、２８ｂ、２８ｃ、２８ｄ  側面
２９  固定金具
３０  後面（平面部）
３３  第１嵌合部（嵌合部）
３６  第２嵌合部（嵌合部）
３７  第１嵌合孔（嵌合孔）
３８  第２嵌合孔（嵌合孔）
４１  第１係合部（係合部）
４２  第２係合部（係合部）
５１  カバー
【図１】
0005938546.tif 000002
【図２】
0005938546.tif 000003
【図３】
0005938546.tif 000004
【図４】
0005938546.tif 000005
【図５】
0005938546.tif 000006
【図６】
0005938546.tif 000007
【図７】
0005938546.tif 000008
【図８】
0005938546.tif 000009
【図９】
0005938546.tif 000010
【図１０】
0005938546.tif 000011
【図１１】
0005938546.tif 000012
【図１２】
0005938546.tif 000013
【図１３】
0005938546.tif 000014